(57)【要約】【課題】  身分証明書のフォーマットを持たない情報端末において撮像部で撮影した身分証明書の画像データをユーザの個人情報として登録する。【解決手段】  情報端末からユーザの個人情報をネットワーク上の管理サーバへ送信し、管理サーバがユーザの個人情報を管理するシステムにおいて、情報端末が撮像部で撮影した所定の身分証明書の画像データをユーザの個人情報としてネットワーク上の管理サーバへ送信し、管理サーバが情報端末から受信した画像データに基づき、所定の身分証明書のフォーマットを取得し、取得したフォーマットを用いて画像データを解析し、解析結果をユーザの個人情報として登録する。【選択図】      図３
2005235103.tif 000002
【特許請求の範囲】
【請求項１】
ネットワークを介して情報端末と管理サーバとが接続されたシステムにおける個人情報管理方法であって、
前記管理サーバは、前記情報端末から、所定の身分証明書の画像データをユーザの個人情報として受信する工程と、
前記受信した画像データに基づき、前記所定の身分証明書のフォーマットを取得する工程と、
前記取得したフォーマットを用いて前記画像データを解析し、該解析結果を前記ユーザの個人情報として登録する工程とを有することを特徴とする個人情報管理方法。
【請求項２】
前記情報端末からネットワークへの接続は、無線通信機能により接続し、前記情報端末に前記無線通信機能がない場合、無線ユニットにより接続することを特徴とする請求項１記載の個人情報管理方法。
【請求項３】
前記情報端末からネットワークへの接続は、アクセスポイントを介して接続することを特徴とする請求項２記載の個人情報管理方法。
【請求項４】
前記管理サーバが受信した画像データは、前記情報端末で、撮像されたデータであることを特徴とする請求項１記載の個人情報管理方法。
【請求項５】
前記ネットワーク上の管理サーバへの接続は、前記情報端末に挿入されたメモリカード或いは内部メモリに記憶されている設定情報に基づいて行われることを特徴とする請求項１記載の個人情報管理方法。
【請求項６】
前記管理サーバは、前記ネットワークへの接続を提供するサービスプロバイダを兼ねることを特徴とする請求項１記載の個人情報管理方法。
【請求項７】
前記取得する工程は、前記情報端末から受信した画像データに基づき、前記所定の身分証明書の発行元を検索する発行元検索サーバ機能により発行元を検索し、検索した発行元から前記フォーマットを取得することを特徴とする請求項１記載の個人情報管理方法。
【請求項８】
情報端末からユーザの個人情報をネットワーク上の管理サーバへ送信し、該管理サーバが前記個人情報を管理する個人情報管理システムであって、
前記情報端末は、撮像部で撮影した所定の身分証明書の画像データをユーザの個人情報として前記ネットワーク上の管理サーバへ送信する送信手段を有し、
前記管理サーバは、前記情報端末から受信した画像データに基づき、前記所定の身分証明書のフォーマットを取得する取得手段と、
前記取得したフォーマットを用いて前記画像データを解析し、解析結果を前記ユーザの個人情報として登録する登録手段とを有することを特徴とする個人情報管理システム。
【請求項９】
通信ネットワークを介して情報端末と接続されたサーバ装置であって、
前記情報端末からユーザの個人情報を含む所定の身分証明書の画像データを受信する手段と、
前記画像データに基づき、前記所定の身分証明書のフォーマットを取得する取得手段と、
前記取得したフォーマットを用いて前記画像データを解析し、解析結果を前記ユーザの個人情報として登録する登録手段とを有することを特徴とするサーバ装置。
【請求項１０】
請求項１乃至請求項７の何れか一項に記載の個人情報管理方法をコンピュータに実行させるためのプログラム。
【請求項１１】
コンピュータを請求項９に記載のサーバ装置として機能させるためのプログラム。
【請求項１２】
請求項１０又は請求項１１に記載のプログラムを記録したコンピュータ読み取り可能な記憶媒体。
【発明の詳細な説明】
【技術分野】
【０００１】
本発明は、情報端末からユーザの個人情報をネットワーク上の管理サーバへ送信し、該管理サーバが前記個人情報を管理する技術に関するものである。
【背景技術】
【０００２】
従来、携帯電話において画像データから特定の情報を抽出してデータ化する方法として、起動しているアプリケーションによって画像データの種類（例えば、電話番号、E-Mailアドレス）を判断し、その判断結果に基づいて文字認識を行うことにより、所望の情報を抽出する方法（例えば、特許文献１参照）が提案されている。
【０００３】
また、これ以外に、身分証明書のフォーマットを機器内部に所持し、そのフォーマットを用いて対象とする画像データから目的の情報が存在する箇所を特定し、文字認識を行うことにより、所望の情報を抽出する方法が提案されている。
【特許文献１】特開２００２−１５２６９６号公報
【発明の開示】
【発明が解決しようとする課題】
【０００４】
しかしながら、個人情報には、氏名、住所、年齢、電話番号など、その他様々な種類の情報が存在し、またその個人情報が記載されている身分証明書にも運転免許証、保険証、パスポートなど様々なフォーマットのものが存在する。
【０００５】
そのため、特許文献１のように、起動しているアプリケーションによって画像データの種類を判断するのでは、身分証明書の各種フォーマット毎にアプリケーションを用意する必要があり、効率的に個人情報を収集することができない。
【０００６】
また、身分証明書のフォーマットを機器内部に所持し、そのフォーマットを用いて対象とする画像データの種類を判断する方法では、機器内部に、対応するフォーマットを全て記憶しておく必要があり、資源の限られた組込み機器には適していない。
【０００７】
また、身分証明書のフォーマットを機器内部に所持していない場合、そのフォーマットの個人情報は取得することができず、対応できる身分証明書の種類に限界がある。
【０００８】
本発明は、上述の課題を解決するためになされたもので、身分証明書のフォーマットを持たない情報端末において撮像部で撮影した身分証明書の画像データをユーザの個人情報として登録することを目的とする。
【課題を解決するための手段】
【０００９】
本発明は、ネットワークを介して情報端末と管理サーバとが接続されたシステムにおける個人情報管理方法であって、前記管理サーバは、前記情報端末から、所定の身分証明書の画像データをユーザの個人情報として受信する工程と、前記受信した画像データに基づき、前記所定の身分証明書のフォーマットを取得する工程と、前記取得したフォーマットを用いて前記画像データを解析し、該解析結果を前記ユーザの個人情報として登録する工程とを有することを特徴とする。
【００１０】
また、前記情報端末からネットワークへの接続は、無線通信機能により接続し、前記情報端末に前記無線通信機能がない場合、無線ユニットにより接続することを一態様とする。
【００１１】
また、前記情報端末からネットワークへの接続は、アクセスポイントを介して接続することを一態様とする。
【００１２】
また、前記管理サーバが受信した画像データは、前記情報端末で、撮像されたデータであることを一態様とする。
【００１３】
また、前記ネットワーク上の管理サーバへの接続は、前記情報端末に挿入されたメモリカード或いは内部メモリに記憶されている設定情報に基づいて行われることを一態様とする。
【００１４】
また、前記管理サーバは、前記ネットワークへの接続を提供するサービスプロバイダを兼ねることを一態様とする。
【００１５】
また、前記取得する工程は、前記情報端末から受信した画像データに基づき、前記所定の身分証明書の発行元を検索する発行元検索サーバ機能により発行元を検索し、検索した発行元から前記フォーマットを取得することを一態様とする。
【００１６】
更に、本発明は、情報端末からユーザの個人情報をネットワーク上の管理サーバへ送信し、該管理サーバが前記個人情報を管理する個人情報管理システムであって、前記情報端末は、撮像部で撮影した所定の身分証明書の画像データをユーザの個人情報として前記ネットワーク上の管理サーバへ送信する送信手段を有し、前記管理サーバは、前記情報端末から受信した画像データに基づき、前記所定の身分証明書のフォーマットを取得する取得手段と、前記取得したフォーマットを用いて前記画像データを解析し、解析結果を前記ユーザの個人情報として登録する登録手段とを有することを特徴とする。
【００１７】
更に、本発明は、通信ネットワークを介して情報端末と接続されたサーバ装置であって、前記情報端末からユーザの個人情報を含む所定の身分証明書の画像データを受信する手段と、前記画像データに基づき、前記所定の身分証明書のフォーマットを取得する取得手段と、前記取得したフォーマットを用いて前記画像データを解析し、解析結果を前記ユーザの個人情報として登録する登録手段とを有することを特徴とする。
【発明の効果】
【００１８】
本発明によれば、身分証明書のフォーマットを持たない情報端末において撮像部で撮影した身分証明書の画像データをユーザの個人情報として登録することができる。
【発明を実施するための最良の形態】
【００１９】
以下、図面を参照しながら発明を実施するための最良の形態について詳細に説明する。
【００２０】
［第１の実施形態］
第１の実施形態として、デジタルカメラのユーザが撮影した身分証明書の画像データを用いてネットワーク上のオンラインコンテンツ管理サーバにユーザの個人情報を登録する処理について説明する。尚、デジタルカメラを例に説明するが、本発明はこれに限らず、例えばデジタルビデオカメラやカメラ付き携帯電話に適用することも可能である。
【００２１】
図１は、第１の実施形態における情報処理システムの構成を示す図である。図１に示すように、情報処理システムは、オンラインコンテンツ管理サーバ１０１と、無線基地局（アクセスポイント：ＡＰ）１０２と、無線移動局１０３と、身分証明書のフォーマットを管理する身分証明書発行元サーバ１０５とから構成される。尚、無線移動局１０３はデジタルカメラであり、ネットワーク上のオンラインコンテンツ管理サーバ１０１に接続してユーザの個人情報を登録するために無線機能が装備され、ＡＰ１０２との間で無線通信を行う。また、デジタルカメラ１０３には、ユーザ登録を行うための初期設定情報として、プロバイダ情報、オンラインコンテンツ管理サーバ用の仮ＩＤ、パスワード、などが記憶されたメモリカード１０４が挿入される。
【００２２】
尚、無線基地局（ＡＰ）１０２と無線移動局１０３との間の無線通信は、一般的な無線ＬＡＮシステムに適用されている、例えばIEEE802.11の規格に準拠した無線方式を用いるものとする。また、デジタルカメラ１０３に無線インタフェースが搭載されていない場合は、無線アダプターを接続することで無線通信を可能としても良い。
【００２３】
図２は、第１の実施形態におけるデジタルカメラの構成を示す外観斜視図である。図２に示すように、デジタルカメラ１０３は、電源スイッチ２０１、ファインダ２０２、ディスプレイ２０３、シャッタ２０４、操作ボタン２０５〜２０９、モード切り換えスイッチ２１０、及びメモリカード挿入部２１１から構成される。
【００２４】
ここで、モード切り換えスイッチ２１０は、撮影時には撮影側へ、通信を行う場合には通信側へ切り換える。また、初期設定情報が記憶されているメモリカード１０４はメモリカード挿入部２１１へ挿入される。
【００２５】
以上の構成を有するデジタルカメラ１０３において、運転免許証、保険証、パスポートなどの身分証明書の画像データを用いて、氏名、住所、年齢、電話番号などの個人情報をオンラインコンテンツ管理サーバ１０１に登録する処理について説明する。尚、個人情報の登録に必要な設定情報は、機器購入時に添付されるメモリカード１０４或いはデジタルカメラ１０３内部のメモリに予め記憶されており、この設定情報にはインターネットプロバイダ接続情報、オンラインコンテンツ管理サーバ１０１へアクセスするための仮のＩＤ、パスワードなどがある。
【００２６】
図３は、第１の実施形態における個人情報登録処理を示すフローチャートである。まずデジタルカメラ１０３のユーザが、無線通信が可能な場所においてデジタルカメラ１０３のモード切り換えスイッチ２１０を通信モードに設定し、電源スイッチ２０１を入れるか、又は電源スイッチ２０１を入れた後、モード切り換えスイッチ２１０を撮影モードから通信モードへ切り換えることにより個人情報の登録を開始する（ステップＳ３０１）。
【００２７】
次に、デジタルカメラ１０３内に身分証明書の画像データが存在するか否かを判定する（ステップＳ３０２）。ここで、身分証明書の画像データが存在しない場合は、個人情報の登録に失敗したことを通知し（ステップＳ３０３）、ユーザに新たな画像データの取得を促すために画像データ取得処理へ進む。この画像データ取得処理は、例えば身分証明書をデジタルカメラ１０３で撮影し、メモリに保存する処理である。
【００２８】
また、デジタルカメラ１０３内に身分証明書の画像データが存在する場合は、無線基地局（ＡＰ）１０２との間で無線接続を行い、その後、インターネットサービスプロバイダとの間でインターネット接続認証処理が行われる（ステップＳ３０４）。
【００２９】
尚、インターネット接続認証処理には、メモリカード１０４或いはデジタルカメラ１０３内部のメモリに予め記憶されているインターネットプロバイダ接続情報が用いられる。また、インターネット接続認証処理は公知の認証処理であるため、その詳細な説明は省略する。
【００３０】
上述のインターネット接続認証に成功すると、オンラインコンテンツ管理サーバ１０１との間でメモリカード１０４或いはデジタルカメラ１０３内部のメモリに予め記憶されているオンラインコンテンツ管理サーバの仮ＩＤ、パスワードを用いた管理サーバ接続認証処理が行われる（ステップＳ３０５）。尚、インターネット接続認証処理及び管理サーバ接続認証処理の何れかに失敗した場合、その旨をユーザへ通知し（ステップＳ３０６）、この登録処理を終了する。
【００３１】
ここで、管理サーバ接続認証処理に成功すると、デジタルカメラ１０３からオンラインコンテンツ管理サーバ１０１へ画像データを送信する（ステップＳ３０７）。一方、オンラインコンテンツ管理サーバ１０１が画像データを受信すると、この画像データから文字列を抽出し、その文字列を用いてキーワード検索を行う（ステップＳ３０８）。尚、ここで用いるキーワードは「運転免許証」や「健康保険証」などの身分証明書の発行元をある程度特定できるものである。
【００３２】
オンラインコンテンツ管理サーバ１０１は、上述の検索に成功するまで、ある一定回数キーワード検索を繰り返し（ステップＳ３０９）、ある一定回数検索してもキーワードが見つからない場合には、キーワード検索に失敗したことをデジタルカメラ１０３に通知する（ステップＳ３１０）。これにより、デジタルカメラ１０３は他の画像データを用いることをユーザに促すために画像データ取得処理へ進む。
【００３３】
また、オンラインコンテンツ管理サーバ１０１が上述の検索に成功した場合、その検索結果を用いて身分証明書発行元サーバ１０５を検索し（ステップＳ３１１）、身分証明書発行元サーバ１０５から身分証明書フォーマットを取得する（ステップＳ３１２）。
【００３４】
尚、身分証明書発行元サーバ１０５の検索は、オンラインコンテンツ管理サーバ１０１がその機能を持ち、オンラインコンテンツ管理サーバ１０１内で行っても良いし、図４に示すように、ネットワーク上に発行元検索サーバ１０６を別に設けても良い。
【００３５】
その後、オンラインコンテンツ管理サーバ１０１は、身分証明書フォーマットを用いて画像データを解析する（ステップＳ３１３）。ここで画像データの解析に成功した場合、画像データから住所、氏名など、オンラインコンテンツ管理サーバ１０１への登録に必要な個人情報を取得し、個人情報の登録を行う（ステップＳ３１４）。
【００３６】
また、画像データの解析に失敗した場合、再度、ステップＳ３１１に戻り、身分証明書発行元サーバの検索処理を繰り返す。その後、個人情報の登録が完了すると、オンラインコンテンツ管理サーバ１０１は、その旨をデジタルカメラ１０３へ通知する（ステップＳ３１５）。
【００３７】
また、メモリカード１０４或いはデジタルカメラ１０３内部のメモリに予め記憶されている設定情報であるプロバイダ情報は、限られた期間のみ有効なものとし、オンラインコンテンツ管理サーバ１０１へのユーザ登録が完了した時点で、オンラインコンテンツ管理サーバ１０１において、インターネットサービスプロバイダとの契約を行い、正式なプロバイダ登録情報をメモリカード１０４或いはデジタルカメラ１０３内部に記憶させる。
【００３８】
この場合、オンラインコンテンツ管理サーバとインターネットサービスプロバイダとの間で、予め契約を結んでおく必要がある。また、オンラインコンテンツ管理サーバ１０１がインターネットサービスプロバイダを兼ねることも可能である。
【００３９】
以上説明したように、身分証明書の画像データから個人情報の収集を行うことが可能となる。その際に、キーワード検索を行い、身分証明書発行元サーバを検索し、身分証明書発行元サーバから身分証明書フォーマットを取得し、画像データの解析を行うことにより身分証明書の種類を限定することなく、様々な種類の身分証明書に対応することができる。これにより、利用者が希望する身分証明書を用いて個人情報を登録でき、利用者のプライバシーに対する意向を考慮することも可能となる。
【００４０】
［第２の実施形態］
次に、図面を参照しながら本発明に係る第２の実施形態を詳細に説明する。第２の実施形態では、デジタルカメラ１０３において、身分証明書の画像データを用いてオンラインコンテンツ管理サーバ１０１に登録した個人情報を変更する処理について説明する。
【００４１】
尚、第２の実施形態におけるシステム構成は、第１の実施形態で説明した図１と同様であり、デジタルカメラ１０３の構成も図２と同様である。
【００４２】
図５は、第２の実施形態における個人情報変更処理を示すフローチャートである。まずデジタルカメラ１０３のユーザが、無線通信が可能な場所においてデジタルカメラ１０３の所定の１つ以上の操作ボタン２０５〜２０９を押下しながら、モード切り換えスイッチ２１０を通信モードに設定し、電源スイッチ２０１を入れるか、又は電源スイッチ２０１を入れた後、所定の１つ以上の操作ボタン２０５〜２０９を押下しながら、モード切り換えスイッチ２１０を撮影モードから通信モードへ切り換えることにより個人情報の変更を開始する（ステップＳ５０１）。
【００４３】
これ以降の処理（ステップＳ５０２〜Ｓ５１３）は、オンラインコンテンツ管理サーバ１０３との間で正式ＩＤ、パスワードを用いて認証処理を行う点を除き、第１の実施形態で説明した図３に示す処理（ステップＳ３０２〜Ｓ３１３）と同様である。
【００４４】
次に、オンラインコンテンツ管理サーバ１０１が取得した身分証明書のフォーマットを用いて、デジタルカメラ１０３から送られてきた画像データの解析に成功した場合、解析により新たに取得した個人情報と、先に登録されている個人情報とを比較し、同一ユーザであることを確認する、ユーザ確認処理を行う（ステップＳ５１４）。
【００４５】
ここで、ユーザ確認処理に成功した場合、個人情報変更を行い（ステップＳ５１５）、またユーザ確認処理に失敗した場合、ユーザへ個人情報の変更に失敗したことをデジタルカメラ１０３へ通知する（ステップＳ５１６）。
【００４６】
以上説明したように、身分証明書の画像データから個人情報の収集を行い、先にオンラインコンテンツ管理サーバ１０１に登録されている個人情報を容易に変更することが可能となる。その際に、第１の実施形態と同様に、キーワード検索を行い、身分証明書発行元サーバを検索し、身分証明書発行元サーバから身分証明書フォーマットを取得し、画像データの解析を行うことにより、身分証明書の種類を限定することなく、様々な種類の身分証明書に対応することができる。これにより、利用者が希望する身分証明書を用いて個人情報を登録でき、利用者のプライバシーに対する意向を考慮することも可能となる。
【００４７】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００４８】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００４９】
この場合、記録媒体から読出されたプログラムコード自体が前述した実施形態の機能を実現することになり、そのプログラムコードを記憶した記録媒体は本発明を構成することになる。
【００５０】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５２】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００５３】
【図１】第１の実施形態における情報処理システムの構成を示す図である。
【図２】第１の実施形態におけるデジタルカメラの構成を示す外観斜視図である。
【図３】第１の実施形態における個人情報登録処理を示すフローチャートである。
【図４】変形例における情報処理システムの構成を示す図である。
【図５】第２の実施形態における個人情報変更処理を示すフローチャートである。
【符号の説明】
【００５４】
１０１  オンラインコンテンツ管理サーバ
１０２  無線基地局（アクセスポイント：ＡＰ）
１０３  無線移動局（デジタルカメラ）
１０４  メモリカード
１０５  身分証明書発行元サーバ
１０６  発行元検索サーバ
２０１  電源スイッチ
２０２  ファインダ
２０３  ディスプレイ
２０４  シャッタ
２０５  操作ボタン
２１０  モード切り換えスイッチ
２１１  メモリカード挿入部
【図１】
2005235103.tif 000003
【図２】
2005235103.tif 000004
【図３】
2005235103.tif 000005
【図４】
2005235103.tif 000006
【図５】
2005235103.tif 000007